(57)【要約】【課題】銀塩式カメラに類似した操作性のデジタルカメラを提供することを目的とする。【解決手段】円周面がギヤ状に成形された回転ダイヤルを本体より突出して設け、回転ダイヤルの回転中心軸には、回転ダイヤルの所定量の回転を検出する検出手段を設け、回転ダイヤルが所定回転されたことを検出する。そして、回転ダイヤルの回転を検出することによって、メモリ内の撮影によって取得された画像データを内蔵メモリ又はメモリカード等の記録媒体に格納して撮影準備を行い（Ｓ２８〜Ｓ３４）、レリーズスイッチオンされたところで撮影を行う（Ｓ３６〜Ｓ４０）。【選択図】　　　　図５
2004015098.tif 000002
【特許請求の範囲】
【請求項１】
被写体を撮影して被写体を表す画像データを取得する撮影手段と、
前記撮影手段による撮影を指示するレリーズ手段と、
前記撮影手段により取得される前記画像データを保存する保存手段と、
前記レリーズ手段近傍に設けられ、前記画像データの前記保存手段への保存を指示する指示手段と、
を含むデジタルカメラ。
【請求項２】
前記指示手段は、回転部材及び該回転部材の回転を検出する検出手段を含み、該回転部材の回転を検出したときに、前記保存手段に保存する指示を行うことを特徴とする請求項１に記載のデジタルカメラ。
【請求項３】
前記保存手段は、前記撮影手段により取得される前記画像データを一時記憶する記憶手段と、前記記憶手段に記憶される前記画像データを格納する格納手段と、からなり、前記指示手段の指示によって、前記記憶手段に一時記憶された前記画像データを前記格納手段へ格納することによって前記保存を行うことを特徴とする請求項１又は請求項２に記載のデジタルカメラ。
【発明の詳細な説明】
【０００１】
【発明の属する技術分野】
本発明は、デジタルカメラにかかり、特に、光電的に被写体像を撮像し、撮像画像を記録媒体に記録するデジタルカメラに関する。
【０００２】
【従来の技術】
近年、簡便に撮影可能なＣＣＤ撮像素子などを有した撮像装置として、デジタルカメラが数多く流通している。デジタルカメラは、その撮影時には、レリーズスイッチを操作することをトリガとして、ＣＣＤ撮像素子などで光量に応じた電荷（光電変換）を画素毎に読み取って、画像データに変換した後に、撮影画像を画像データとして磁気記録媒体などの記録媒体に記録している。
【０００３】
撮影から記録までの過程では、撮影コマ毎に、主な処理として、撮影画像のデジタル変換、撮影画像表示のための画像作成、そして撮影画像を記録するための記録処理の各々が行われている。
【０００４】
このように、デジタルカメラでは、レリーズスイッチの操作で撮像画像の記録を簡単に行うことができる。
【０００５】
【発明が解決しようとする課題】
しかしながら、銀塩式のカメラとデジタルカメラとでは、仕組みの違いから操作性が異なり、銀塩式カメラにはなれているが、デジタルカメラにはなれていないという人には、その操作性の違いからデジタルカメラが使い難いというイメージを用いやすい、という問題がある。
【０００６】
本発明は、上記問題を解決すべく成されたもので、銀塩式カメラに類似した操作性のデジタルカメラを提供することを目的とする。
【０００７】
【課題を解決するための手段】
上記目的を達成するために請求項１に記載の発明は、被写体を撮影して被写体を表す画像データを取得する撮影手段と、前記撮影手段による撮影を指示するレリーズ手段と、前記撮影手段により取得される前記画像データを保存する保存手段と、前記レリーズ手段近傍に設けられ、前記画像データの前記保存手段への保存を指示する指示手段と、を含むことを特徴としている。
【０００８】
請求項１に記載の発明によれば、撮影手段は、被写体を撮影して被写体を表す画像データを取得する。例えば、エリアＣＣＤセンサ等に被写体像を結像することによって光電変換によって被写体を表す画像データを得ることが可能である。
【０００９】
レリーズ手段では、撮影手段による撮影が指示される。すなわち、銀塩式カメラのシャッタボタンに相当し、レリーズ手段による撮影指示が行われることによって、撮影手段による撮影がなされる。
【００１０】
保存手段には、撮影手段によって取得される画像データが保存される。例えば、保存手段への保存は、撮影手段によって得られる画像データを保護することによって行うようにしてもよい。
【００１１】
ここで、保存手段への画像データの保存は、指示手段によって行われる。すなわち、撮影によって得られる画像データは、指示手段の指示によって、保存手段へ保存される。従って、銀塩式カメラで巻上げレバーを操作することによって、撮影コマを格納するのと、同様に、画像データの保存を指示手段によって行うことができる。また、指示手段は、レリーズ手段近傍に設けられており、銀塩式カメラと同様な位置に設けられている。これによって、銀塩式カメラに類似した操作性を提供することができる。
【００１２】
請求項２に記載の発明は、請求項１に記載の発明において、前記指示手段は、回転部材及び該回転部材の回転を検出する検出手段を含み、該回転部材の回転を検出したときに、前記保存手段に保存する指示を行うことを特徴としている。
【００１３】
請求項２に記載の発明によれば、請求項１に記載の発明において、指示手段が、回転部材及び検出手段を含んで構成され、該回転部材の回転を検出手段によって検出することにより、保存手段への画像データの保存指示がなされる。すなわち、銀塩式カメラでは巻上げレバーを回転操作することによって撮影コマを格納するので、これと同様に、回転部材を回転することによって保存手段へ撮影した画像データを保存する。これによって、銀塩式カメラに類似した操作性を提供することができる。
【００１４】
なお、検出手段による回転部材の回転検出は、例えば、回転部材の回転開始を検出してもよいし、所定量の回転を検出してもよい。
【００１５】
請求項３に記載の発明は、請求項１又は請求項２に記載の発明において、前記保存手段は、前記撮影手段により取得される前記画像データを一時記憶する記憶手段と、前記記憶手段に記憶される前記画像データを格納する格納手段と、からなり、前記指示手段の指示によって、前記記憶手段に一時記憶された前記画像データを前記格納手段へ格納することによって前記保存を行うことを特徴としている。
【００１６】
請求項３に記載の発明によれば、請求項１又は請求項２に記載の発明において、撮影手段によって取得される画像データは、一時記憶手段に記憶されるが、格納手段への画像データの格納は、指示手段の指示に応じて行われる。すなわち、一旦記憶手段に記憶された画像データは、指示手段の指示によって格納手段へ格納されるので、銀塩式カメラで巻上げレバーを操作することによって、撮影コマを格納するのと、同様に、画像データの格納を指示手段によって行うことができ、銀塩式カメラに類似した操作性を提供することができる。
【００１７】
なお、上記の発明は、以下の発明とすることができる。すなわち、前記指示手段は、所定条件を満たすときに、所定機能を実行するための機能スイッチとしてさらに機能することを特徴とする請求項１乃至請求項３の何れか１項に記載のデジタルカメラ。
【００１８】
上記発明によれば、所定の条件を満たすとき、例えば、メニュー操作実行や再生モード実行等のときに、所定機能を実行するための機能スイッチとして機能する。例えば、メニュー操作実行の場合には、メニュー選択スイッチとして機能し、再生モード実行の場合には、再生画像選択スイッチとして機能することが可能である。これによって、スイッチを共用することができ、部品点数を削減することが可能となる。
【００１９】
【発明の実施の形態】
以下、図面を参照して本発明の実施の形態の一例を詳細に説明する。
【００２０】
図１（Ａ）、（Ｂ）に示すように、デジタルカメラ１０の本体１２は略箱型で、正面から見て左側に、本体１２の把持を容易とするための突起（把持部）が形成された形状とされている。本体１２の正面側中央にはレンズ１４が取り付けられた鏡筒１５が設けられており、本体１２のレンズ１４上方には、低照度での撮影等の場合に補助光を発するためのストロボ１８、ユーザが撮影範囲等を目視で確認するための光学ファインダ１６が取り付けられている。
【００２１】
また、ストロボ１８の近傍の位置には、ストロボ発光時に被写体で反射して戻ってきたストロボ光の光量を検出するストロボ受光センサにストロボ光を導くためのストロボ受光窓３８、及び内蔵されたＡＥセンサに光を導くためのＡＥ受光窓４０が備えられている。
【００２２】
本体１２の上面には、正面から見て右側に電源スイッチ２０が、左側（把持部に対応する位置）にレリーズスイッチ２２が各々設けられており、本体１２の正面から見て右側面には、メモリカード（図示省略）を装填可能なスロット２４が設けられている。なお、レリーズスイッチ２２は本発明のレリーズ手段に相当する。
【００２３】
また、デジタルカメラ１０の正面から見て右側面には、このデジタルカメラ１０に内蔵に設けられた内蔵メモリやスロット２４に装填されるメモリカードに記憶された画像データを外部に送出するためのＵＳＢ（Ｕｎｉｖｅｒｓａｌ　Ｓｅｒｉａｌ　Ｂｕｓ）ケーブルが接続されるＵＳＢ端子４２、及び内蔵メモリやメモリカードに記憶された画像データを、携帯電話を使用して外部に送信において、携帯電話との接続時に使用される携帯電話用端子４４が備えられている。
【００２４】
更に、携帯電話用端子４４の下方には、交流電源から電源を得るためのＡＣアダプタを接続するＡＣアダプタ接続口２８が設けられており、交流電源をデジタルカメラ１０に供給可能なように構成されている。
【００２５】
また、図１（Ｂ）に示すように、本体１２の背面には、透過型液晶（半透過型液晶でもよい）からなるカラーディスプレイ２６が設けられており、ディスプレイ２６は、蛍光管やＬＥＤ等によって構成されるバックライトを備えた構成とされている。なお、ディスプレイ２６は光学ファインダ１６の機能も有する。
【００２６】
本体１２の背面には、向かって右側に、選択スイッチ３４、メニュースイッチ３０、実行／画面切換スイッチ３２、及びキャンセルスイッチ３６が設けられている。なお、選択スイッチ３４は、メニュースイッチ３０を押下することによって表示されたメニュー画面等のモード等を選択するためのスイッチであり、その実行は実行／画面切換スイッチ３２で行う。また、キャンセルスイッチ３６は種々のモード等をキャンセルするためのスイッチである。
【００２７】
さらに、本体１２の背面には、撮影モードを切り替える撮影モード切替スイッチ８２が設けられており、該撮影モード切替スイッチ８２を操作することによって、静止画を撮影する静止画撮影モードと、動画を撮影する動画撮影モードと、静止画撮影と動画撮影を同時に行う同時撮影モードと、の切り替えを行うようになっている。
【００２８】
ところで、本実施の形態に係わるデジタルカメラ１０は、レリーズスイッチ２２の近傍の位置にレリーズスイッチ２２によって撮影指示することによって得られる撮影画像を記録媒体等に格納する指示を行うための指示手段としての回転ダイヤル８６が設けられている。すなわち、銀塩式カメラがフィルムを巻き上げるように、回転ダイヤル８６を操作することによって、次の撮影を行う準備をすると共に、撮影した画像を格納保存することによって撮影画像を保護するようになっている。
【００２９】
例えば、回転ダイヤル８６は、レリーズスイッチ２２に右手の人差し指を置いた時に右手の親指で無理なく回転ダイヤル８６を回転できる位置に配置されている。
【００３０】
また、回転ダイヤル８６は、図２（Ａ）に示すように、円周面がギヤ状に成形された回転ダイヤル８６が本体より突出して設けられている。回転ダイヤル８６の回転中心軸には、図２（Ｂ）に示すように、回転ダイヤル８６の所定量の回転を検出する検出手段８８が設けられており、回転ダイヤル８６が所定回転されたことを検出するようになっている。例えば、検出手段８８としては、ロータリーエンコーダや回転スイッチ等を適用することが可能である。
【００３１】
また、回転ダイヤル８６は、円周面がギヤ状に成形されており、回転ダイヤル８６の近傍の本体１２側に設けられた板ばね９０に当接するように設けられている。板ばね９０によって回転ダイヤル８６の回転に節度感を持たせると共に、回転ダイヤル８６の回転を一方向（図２（Ａ）矢印Ａ方向）に規制するようになっている。
【００３２】
また、回転ダイヤル８６には、ボス９２が設けられており、本体１２側には、回転ダイヤル８６の回転を止めるストッパー機構９４が設けられている。ストッパー機構９４は、レリーズスイッチ２２の操作等に応じて、図２矢印Ｂ方向に移動するように構成されている。すなわち、回転ダイヤル８６を回転させて、回転ダイヤル８６に設けられたボス９２がストッパー９４に当接することによって、回転ダイヤル８６の回転が抑止され、レリーズスイッチ２２の操作によってストッパー機構９４が回転ダイヤル８６の回転を許可するように移動することによって、回転ダイヤル８６を回転することができる。これによって、銀塩式カメラのフィルム巻上げ機構と同様の操作性を提供することができる。
【００３３】
図３にはデジタルカメラ１０の電気系の構成が示されている。レンズ１４は、詳しくはズームレンズ（焦点距離可変レンズ）からなり、ズーム機構は駆動回路４６によって駆動される。また、オートフォーカス（ＡＦ）機構４７も備え、ＡＦ機構４７も同様に駆動回路４６によって駆動される。なお、ズームレンズに代えて、ＡＦ機構４７のみを備えた焦点距離可変レンズを用いてもよい。
【００３４】
本体１２の内部におけるレンズ１４の焦点位置に相当する位置には、撮影手段としてのエリアＣＣＤセンサ等で構成される撮像素子５０が配置されており、被写体を反射してレンズ１４に入射された光は撮像素子５０の受光面に結像される。撮像素子５０は、受光面上にマトリクス状に配列された多数個の光電変換セルの各々における受光量を表すアナログ信号を画像信号として出力する。撮像素子５０は、駆動回路４６に接続されているタイミング信号発生部によって発生されたタイミング信号に同期したタイミングで駆動されて画像信号を出力する。
【００３５】
レンズ１４と撮像素子５０との間には絞り４８が配置されている。絞りは連続的に変更可能な単一な絞りで構成してもよいし、絞り量が異なる複数の絞りを切り替える構成としてもよい。
【００３６】
タイミング信号発生部５２には、さらにストロボ１８の発光を制御するストロボ制御回路５４も接続されており、ストロボ１８は低照度であることが検出された場合や、ユーザによって発光が指示された場合にタイミング信号発生部５２によって発生されたタイミング信号に同期したタイミングで発光制御される。
【００３７】
撮像素子５０の信号出力端には、サンプリング部５６、Ａ／Ｄ変換器５８、信号処理部６０、メモリ６２、及び圧縮／伸張部６４が順に接続されており、それぞれシステムバス６８に接続され、システムバス６８に接続されたシステム制御部７０によって統括的に制御されるようになっている。
【００３８】
サンプリング部５６では、撮像素子５０から出力された画像信号をタイミング信号発生部５２によって発生されたタイミング信号に同期したタイミングでサンプリングすると共に、増幅してＡ／Ｄ変換器５８へ出力する。サンプリング部５６は、図示しないＣＤＳ（Ｃｏｒｒｅｌａｔｅｄ　Ｄｏｕｂｌｅ　Ｓａｍｐｌｉｎｇ：相関二重サンプリング：以下ＣＤＳという）部を含んで構成されている。ＣＤＳ部は、例えば、ＣＣＤ型の撮像素子を用いて、基本的にその素子により生じる各種のノイズをタイミング信号発生部からのタイミング信号によりクランプするクランプ回路と、タイミング信号によりアナログ電圧信号をホールドするサンプルホールド回路を有する。ＣＤＳ部は、ノイズ成分を除去してアナログの出力信号として画像信号をＡ／Ｄ変換器５８に送る。サンプリング部５６から出力された画像信号は、Ａ／Ｄ変換器５８によってデジタルの画像データに変換されて信号処理部６０へ入力される。信号処理部６０では、入力された画像データに対して色補正・γ補正・Ｙ／Ｃ変換等の各種処理を行う。信号処理部６０から出力された画像データは、ＲＡＭ等で構成されたメモリ６２に一時記憶される。そして、回転ダイヤル８６の操作がなされた場合に、圧縮／伸張部６４で圧縮されてから内蔵メモリ８４又はスロット２４に装填されたメモリカード８０に格納されるようになっている。
【００３９】
また、システムバス６８には、ディスプレイ２６も接続され、撮影によって得られる画像データに基づく画像の表示が可能とされている。
【００４０】
さらに、システムバス６８には、上述のＵＳＢ端子４２、携帯電話用端子４４、及びレリーズスイッチ２２、検出手段８８及びストッパー機構９４を含む各種操作スイッチ（メニュースイッチ３０、実行／画面切換スイッチ３２、選択スイッチ３４、キャンセルスイッチ３６、撮影モード切換スイッチ８２等）７４が接続された入出力インターフェース（Ｉ／Ｆ）７６が接続されており、各種操作スイッチ７４の操作に応じた制御がなされるようになっている。
【００４１】
すなわち、回転ダイヤル８６が操作されることにより、内蔵メモリ８４又はスロット２４に装填されたメモリカード８０への画像データの格納が指示された場合、システム制御部７０はメモリ６２に一時記憶されている画像データを読み出して圧縮／伸張部６４へ転送する。これにより、画像データは圧縮／伸張部６４で圧縮された後に内蔵メモリ８４又はメモリカード８０に格納される。なお、撮影する際のモードによって画像デーがが圧縮されることなく内蔵メモリ８４又はメモリカード８０に格納される場合もある。
【００４２】
また、内蔵メモリ８４又はスロット２４に装填されたメモリカード８０に格納されている画像データが表す画像の再生（表示）が指示された場合には、内蔵メモリ８４又はスロット２４に装填されたメモリカード８０から画像データが読み出され、読み出された画像データが圧縮／伸張部６４で伸張（解凍）された後、メモリ６２に一時記憶される。そして、メモリ６２に一時記憶された画像データを用いてディスプレイ２６への画像の表示（再生）が行われる。
【００４３】
なお、内蔵メモリ８４又はメモリカード８０は本発明の保存手段及び格納手段に相当し、メモリ６２は記憶手段に相当する。
【００４４】
次に、上述のように構成されたデジタルカメラ１０の作用について、図４〜６に示すフローチャートを参照して説明する。
【００４５】
図４は、図１に示す電源スイッチ２０をオンした時に起動される‘電源オン’プログラムを示すフローチャートである。なお、オートフォーカス機能、自動露出機能等については省略して説明する。
【００４６】
はじめに、電源スイッチ２０がオンされると、ステップＳ１０では、システムのリセットが行われる。なお、このとき、レンズ１４を保護するレンズバリアを有する場合には、同時にレンズバリアを解放するようにしてもよい。
【００４７】
ステップＳ１２では、現在選択されているモードが撮影モードか否か判定される。該判定は、撮影モード切替スイッチ８２の状態に応じて判定され、判定が肯定されるとステップＳ１４へ移行して、撮影モードが起動される。
【００４８】
ここで、撮影モードについて図５のフローチャートを参照して説明する。
【００４９】
ステップＳ２０では、撮影モードが起動されると、撮像デバイス５０から出力される画像データが表す撮影画像の、カラーディスプレイ２６への表示が行われる。
【００５０】
続いてステップＳ２２では、現在のモードが撮影モードか否か判定される。該判定が否定された場合には、このサブルーチンを抜けて‘電源オン’プログラムのステップＳ１２へ戻る。
【００５１】
ステップＳ２２の判定が肯定された場合には、ステップＳ２４へ移行して、図１（Ｂ）に示す実行／画面切換スイッチ３２がオンされているか否か判定される。該判定が肯定された場合には、ステップＳ２６へ移行して、撮像デバイス５０からの画像標示及び撮影可能枚数などのシステム情報のうち、現在表示されていない方の表示を行う、画像表示の切換が行われ、ステップＳ２８へ移行する。
【００５２】
一方、ステップＳ２４の判定が否定された場合には、そのままステップＳ２８へ移行する。
【００５３】
ステップＳ２８では、回転ダイヤル８６の回転か検出されたか否か判定される。該判定は、検出手段８８によって回転ダイヤル８６の回転開始が検出されることによってなされ、該判定が肯定された場合には、ステップＳ３０へ移行する。
【００５４】
なお、回転ダイヤル８６の操作時には、回転ダイヤル８６所定量回転したことを確認するための音声や光学的な検知手段を設けるようにしてもよい。これによって、回転ダイヤル８６が確実に操作されたか否かをユーザに報知することができる。
【００５５】
ステップＳ３０では、ストッパー機構９４を回転ダイヤル８６が回転抑止状態となるように移動される。すなわち、ストッパー機構９４が図２（Ｂ）矢印Ｂ方向と反対方向に移動されることによって、回転ダイヤルが所定量以上回転しないように規制される。
【００５６】
次にステップＳ３２では、メモリ６２内に撮影画像があるか否か判定され、該判定が肯定、すなわち、レリーズスイッチ２２が操作されて画像データがメモリ６２に一時記憶された状態である場合には、ステップＳ３４へ移行して、メモリ６２内の画像データを内蔵メモリ８４又はスロット２４に装填されたメモリカード８０等の記録媒体に格納して、ステップＳ３６へ移行する。これによって、画像データが内蔵メモリ８４又はスロット２４に装填されたメモリカード８０に移動して格納され、次の撮影準備状態となる。従って、銀塩式カメラでは、フィルム巻上げレバー等を操作することによって、撮影コマを格納するように、撮影画像を内蔵メモリ８４又はスロット２４に装填されたメモリカード８０等の記録媒体に格納するので、銀塩式カメラと同様の操作性を提供することができる。
【００５７】
また、ステップＳ２８及びステップＳ３２の判定が否定された場合には、そのままステップＳ３６へ移行する。
【００５８】
ステップＳ３６では、レリーズスイッチ２２がオンされたか否か判定される。該判定が否定された場合には、ステップＳ２８へ戻って、上述の処理が繰り返される。
【００５９】
ステップＳ３６の判定が肯定された場合には、ステップＳ３８へ移行して、撮影画像がメモリ６２に一時記憶される。なお、回転ダイヤル８６が操作されずに、レリーズスイッチ２２が操作されて、撮影画像をメモリ６２に記憶する際には、過去に記憶した撮影画像をメモリ６２上に残すようにしてもよいし、上書きするようにしてもよい。また、２度押し等のように連続してレリーズスイッチ２２が操作された場合には、はじめのレリーズスイッチ２２の操作はキャンセルして、最後のレリーズスイッチ２２の操作に対して撮影を行うようにしてもよい。
【００６０】
ステップＳ４０では、ストッパー機構９４が回転ダイヤル回転許可状態となるように移動される。すなわち、ストッパー機構９４が図２（Ｂ）矢印Ｂ方向に移動することによって、回転ダイヤル８６が回転可能状態となり、このサブルーチンを抜けて‘電源オン’プログラムのステップＳ１２へ戻る。
【００６１】
なお、内蔵メモリ８４又はスロット２４に装填されたメモリカード８０等の記録媒体に記憶容量が残っていない場合や、撮影失敗等により記録する画像がない場合には、ストッパー機構９４を図２（Ｂ）矢印Ｂ方向に移動させて、回転ダイヤル８６を回転できないようにしてもよいし、上述した検知手段等を設けた場合には、正常時の音声や光とは異なる状態となるようにして前記記録する画像がないことをユーザに報知するようにしてもよい。
【００６２】
ここで、図４に示す‘電源オン’プログラムのステップＳ１２へ戻って説明する。
【００６３】
ステップＳ１２の判定が否定、すなわち、モードが撮影モードでないと判定された場合には、ステップＳ１６へ移行して、再生モードが起動される。
【００６４】
次に、再生モードについて図６のフローチャートを参照して説明する。
【００６５】
ステップＳ５０では、現在のモードが再生モードか否か判定される。該判定が否定された場合には、‘電源オン’プログラムのステップＳ１２へ戻る。
【００６６】
ステップＳ５０の判定が肯定された場合には、ステップＳ５２へ移行して、既に記憶済みの画像データの、内蔵メモリ８４又はスロット２４に装填されたメモリカード８０上のアドレスを示すポインタにより、現在指定されているアドレスに記憶された撮影画像がカラーディスプレイ２６に再生表示され、ステップＳ５４へ移行する。
【００６７】
ステップＳ５４では、回転ダイヤル８６による再生画像の選択が行われているか否か判定される。なお、再生モードが起動された場合には、回転ダイヤル８６が回転可能状態となるように、ストッパー機構９４が図２（Ｂ）矢印Ｂ方向へ移動されることによって、回転ダイヤル８６による操作が可能となる。
【００６８】
ステップＳ５４の判定が肯定された場合には、ステップＳ５６へ移行して、他の記憶済み撮影画像が再生表示されるようにポインタのインクリメントが行われ、ステップＳ５２へ戻る。すなわち、ポインタのインクリメントによって、回転ダイヤル８６による再生画像の選択を行うことができる。例えば、回転ダイヤル８６を回転することによって、上記ポインタを移動することが可能となり、例えば、順方向にコマ送りすることができる。この時、回転ダイヤル８６の操作では、一方向にしか操作できないので、順送り方向にのみのコマ送りとなり、最終コマに戻ったところで、最初のコマに戻ることにより、最初からコマ送りすることができる。
【００６９】
一方、ステップＳ５４の判定が否定された場合には、このサブルーチンを抜けて‘電源オン’プログラムのステップＳ１２へ戻る。
【００７０】
このように、本実施の形態に係わるデジタルカメラ１０では、撮影画像の内蔵メモリ８４又はスロット２４に装填されたメモリカード８０への記憶を指示する回転ダイヤル８６を用いて再生画像の選択を行うことができるので、スイッチを共有することができ、部品点数を削減することができる。
【００７１】
なお、ステップＳ５４、Ｓ５６の再生画像の選択は、選択スイッチ３４等を用いて選択するようにしてもよい。
【００７２】
また、回転ダイヤル８６のその他の機能としては、例えば、画像データを内蔵メモリ８４又はスロット２４に装填されたメモリカード８０に格納してから、さらに、操作したときに、撮影可能枚数をディスプレイ２６に表示するようにしてもよい。
【００７３】
また、上記では、再生画像の選択を行う機能スイッチとして、回転ダイヤル８６を用いるようにしてが、回転ダイヤル８６を機能スイッチとして用いる場合の機能はこれに限るものではなく、例えば、メニュー操作をする際のメニュー選択スイッチとして機能するようにしてもよい。
【００７４】
また、上記の実施の形態では、回転ダイヤル８６の操作によって、撮影画像を記録媒体に記憶するようにしたが、撮影画像を記録媒体に記憶する指示する指示手段の構成はこれに限るものではなく、例えば、図７に示すように、回転ダイヤル８６の回転軸に捻りばね９６を設け、捻りばね９６の一端を本体１２側に係止し、他端を回転ダイヤル８６側に係止することによって、回転ダイヤル８６を一方向（図７矢印Ｃ方向）に付勢する。また、回転ダイヤル８６にボス９８を設けて、回転を抑止すると共に、所定回転を検出する検出スイッチ１００を設ける。すなわち、回転ダイヤル８６を捻りばね９６の付勢に逆らって図７矢印Ｄ方向に回転することによって、ボス９８が検出スイッチ１００に当接することによって、回転ダイヤル８６の回転を検出することができ、これによって、撮像画像を内蔵メモリ８４又はスロット２４に装填されたメモリカード８０に格納する指示を検出することが可能である。この時、回転ダイヤル８６は、図８に示すように、銀塩式カメラのフィルム巻上げレバーのように成形した巻上げレバー１０２としてもよい。また、フィルム巻上げレバーのように成形した場合には、図８に示すように、レリーズスイッチ２２を巻上げレバー１０２の回転中心に設けるようにしてもよい。このように構成することによって、銀塩式カメラと同様の操作性を提供することができる。
【００７５】
さらに、上記の実施の形態では、撮影によって得られる画像データを一時メモリ６２に記憶する構成としたが、メモリ６２を設けずに、直接記録媒体に記録する場合には、回転ダイヤル８６の操作によって、画像データを保護し、回転ダイヤル８６の操作がない場合には、当該画像データに上書きすることによって、上記の実施の形態と同様の効果を得ることができる。
【００７６】
【発明の効果】
以上説明したように本発明によれば、撮影することによって得られる画像データを記憶手段に一時記憶し、記憶手段に記憶した画像データを格納手段へ格納するための指示手段をレリーズ手段近傍に設けることによって、銀塩式カメラに類似した操作性を提供することができる、という効果がある。
【図面の簡単な説明】
【図１】本発明の実施の形態に係わるデジタルカメラの外観を示す斜視図である。
【図２】回転ダイヤルの構成を示す図である。
【図３】本発明の実施の形態に係わるデジタルカメラの電気系の構成を示すブロック図である。
【図４】本発明の実施の形態に係わるデジタルカメラの動作の流れを示すフローチャートである。
【図５】撮影モードのサブルーチンを示すフローチャートである。
【図６】再生モードのサブルーチンを示すフローチャートである。
【図７】回転ダイヤルのその他の構成の第１例を示す図である。
【図８】回転ダイヤルのその他の構成の第２例を示す図である。
【符号の説明】
１０　　デジタルカメラ
２２　　レリーズスイッチ
８６　　回転ダイヤル
８８　　検出手段
９４　　ストッパー機構
１０２　　巻上げレバー
【図１】
2004015098.tif 000003
【図２】
2004015098.tif 000004
【図３】
2004015098.tif 000005
【図４】
2004015098.tif 000006
【図５】
2004015098.tif 000007
【図６】
2004015098.tif 000008
【図７】
2004015098.tif 000009
【図８】
2004015098.tif 000010